(57)【要約】  資産を多様な形態でプリントまたは表示できるようにプリントまたは表示の制御情報を伝送する装置及び方法と、その方法を行うためのプログラムが記録された記録媒体に係り、該情報伝送方法及び保存方法は、資産についてのプリントまたは表示を制御するためのプリントまたは表示の命令とメタデータを管理する第１ファイルを生成し、第１ファイルに含まれている命令とメタデータと資産についてのプリントまたは表示形態を定義した第２ファイルを生成し、第１ファイルと第２ファイルとの同調のための同調データを生成し、生成された同調データを第１ファイルと第２ファイルとにそれぞれ含ませて独立的に保存し、資産をプリントまたは表示するデバイスの動作条件によって、第１ファイルと第２ファイルのうちいずれか一つを選択して伝送するステップを含む。
2008502985.tif 000002
【特許請求の範囲】
【請求項１】
資産についてのプリントまたは表示の制御情報伝送方法において、
前記資産についてのプリントまたは表示を制御するためのプリントまたは表示の命令とメタデータを含む第１ファイルを生成するステップと、
前記第１ファイルに含まれている前記プリントまたは表示の命令とメタデータと前記資産についてのプリントまたは表示形態情報に基づいた第２ファイルを生成するステップと、
前記資産をプリントまたは表示するデバイスの動作条件によって、前記第１ファイルと前記第２ファイルのうちいずれか一つを選択して伝送するステップとを含むプリントまたは表示の制御情報伝送方法。
【請求項２】
前記第１ファイルは、ＸＭＬを基盤としたＭＰＶファイルであり、前記第２ファイルは、ＸＨＴＭＬファイルであることを特徴とする請求項１に記載のプリントまたは表示の制御情報伝送方法。
【請求項３】
前記第１ファイルを生成するステップは、
前記資産についてのプリントまたは表示を制御するためのユーザ入力情報と、前記資産を読んで再生できる情報を管理するＭＰＶファイルとに基づいて得られた前記資産についてのプリントまたは表示の制御用ＭＰＶファイルを、前記第１ファイルとして生成することを特徴とする請求項１に記載のプリントまたは表示の制御情報伝送方法。
【請求項４】
前記第１ファイルは、少なくともプリントまたは表示の命令、各資産の特性、各資産が存在する位置情報、各資産と共に出力を所望するメタデータ、及びプリントまたは表示される映像についてのマーキング情報を含む資産についてのプリントまたは表示を制御する情報を管理することを特徴とする請求項３に記載のプリントまたは表示の制御情報伝送方法。
【請求項５】
前記第２ファイルは、複数のプリントまたは表示形態のうち一つのプリントまたは表示形態を選択して定義したことを特徴とする請求項１に記載のプリントまたは表示の制御情報伝送方法。
【請求項６】
資産についてのプリントまたは表示の制御情報保存方法において、
前記資産についてのプリントまたは表示を制御するためのプリントまたは表示の命令とメタデータを管理する第１ファイルを生成するステップと、
前記第１ファイルで管理する前記命令とメタデータを参照して、前記資産についてのプリントまたは表示形態を定義した第２ファイルを生成するステップと、
前記第１ファイルと前記第２ファイルとの同調のための同調データを生成するステップと、
前記第１ファイルと前記第２ファイルとを独立的に保存するステップとを含み、
前記保存された第１ファイル及び第２ファイルは、前記同調データを含むプリントまたは表示の制御情報保存方法。
【請求項７】
前記第１ファイルは、ＸＭＬを基盤にしたＭＰＶファイルであり、前記第２ファイルは、ＸＨＴＭＬファイルであることを特徴とする請求項６に記載のプリントまたは表示の制御情報保存方法。
【請求項８】
前記第２ファイルは、複数のプリントまたは表示形態のうち一つのプリントまたは表示形態を選択して定義することを特徴とする請求項６に記載のプリントまたは表示の制御情報保存方法。
【請求項９】
前記同調データは、各資産が存在する位置情報を含む請求項６に記載のプリントまたは表示の制御情報保存方法。
【請求項１０】
資産についてのプリントまたは表示の制御情報伝送及び保存方法において、
前記資産についてのプリントまたは表示を制御するためのプリントまたは表示の命令とメタデータを管理する第１ファイルを生成するステップと、
前記第１ファイルで管理する前記プリントまたは表示の命令とメタデータを参照して、前記資産についてのプリントまたは表示形態を定義した第２ファイルを生成するステップと、
前記第１ファイルと前記第２ファイルとの同調のための同調データを生成するステップと、
前記生成された同調データを前記第１ファイル及び前記第２ファイルにそれぞれ含め、前記第１ファイル及び第２ファイルを独立的に保存するステップと、
前記資産をプリントまたは表示するデバイスの動作条件によって、前記第１ファイルと前記第２ファイルのうち、いずれか一つを選択して伝送するステップとを含むプリントまたは表示の制御情報伝送及び保存方法。
【請求項１１】
資産についてのプリントまたは表示の制御情報伝送装置において、
前記資産についてのプリントまたは表示を制御するためのプリントまたは表示の命令とメタデータを含む第１ファイルを生成する第１ファイル生成部と、
前記第１ファイルに含まれている前記プリントまたは表示の命令及びメタデータと、前記資産についてのプリントまたは表示形態情報に基づいて、第２ファイルを生成する第２ファイル生成部と、
前記資産をプリントまたは表示するデバイスの動作条件によって、前記第１ファイルと前記第２ファイルのうちいずれか一つを選択して伝送する伝送部とを備えるプリントまたは表示の制御情報伝送装置。
【請求項１２】
前記第１ファイルは、ＸＭＬを基盤にしたＭＰＶファイルであり、前記第２ファイルは、ＸＨＴＭＬファイルであることを特徴とする請求項１１に記載のプリントまたは表示の制御情報伝送装置。
【請求項１３】
前記第１ファイルは、少なくともプリントまたは表示の命令、各資産の特性、各資産が存在する位置情報、各資産と共に出力を所望するメタデータ、及びプリントまたは表示するイメージについてのマーキング情報を含む資産についてのプリントまたは表示を制御する情報を管理することを特徴とする請求項１１に記載のプリントまたは表示の制御情報伝送装置。
【請求項１４】
前記第１ファイルは、前記資産についてのプリントまたは表示を制御するためのユーザ入力情報と、前記資産を読み取って再生できる情報を管理するＭＰＶファイルとに基づいて得られた前記資産についてのプリントまたは表示を制御するために定義されたＭＰＶファイルであることを特徴とする請求項１１に記載のプリントまたは表示の制御情報伝送装置。
【請求項１５】
前記伝送部は、マルチプレクスエンジンであることを特徴とする請求項１１に記載のプリントまたは表示の制御情報伝送装置。
【請求項１６】
前記プリントまたは表示の制御情報伝送装置は、
ユーザにより入力される情報を前記第１ファイル生成部、第２ファイル生成部及び前記伝送部に伝送し、ユーザが情報を入力できる環境を提供するユーザーインターフェースをさらに備える請求項１１に記載のプリントまたは表示の制御情報伝送装置。
【請求項１７】
資産についてのプリントまたは表示の制御情報保存装置において、
前記資産についてのプリントまたは表示を制御するためのプリントまたは表示の命令とメタデータを管理する第１ファイルを生成する第１ファイル生成部と、
前記第１ファイルで管理する前記命令とメタデータを参照して、前記資産についてのプリントまたは表示形態を定義した第２ファイルを生成する第２ファイル生成部と、
前記第１ファイルと前記第２ファイルとを独立的に保存するメモリと、
前記第１ファイルと前記第２ファイルとの同調のための同調データを生成し、前記生成された同調データが前記メモリに保存された第１ファイル及び前記第２ファイルに含まれるように、前記メモリを制御するメモリ制御部とを備えるプリントまたは表示の制御情報保存装置。
【請求項１８】
前記同調データは、各資産が存在する位置情報を含むことを特徴とする請求項１７に記載のプリントまたは表示の制御情報保存装置。
【請求項１９】
資産についてのプリントまたは表示の制御情報伝送方法を行うためのコンピュータに実行可能なプログラムが保存された記録媒体において、
前記資産についてのプリントまたは表示を制御するためのプリントまたは表示の命令とメタデータを含む第１ファイルを生成するステップと、
前記第１ファイルに含まれている前記プリントまたは表示の命令とメタデータと前記資産についてのプリントまたは表示形態情報に基づいた第２ファイルを生成するステップと、
前記資産をプリントまたは表示するデバイスの動作条件によって、前記第１ファイルと前記第２ファイルのうちいずれか一つを選択して伝送するステップとを含む記録媒体。
【請求項２０】
資産についてのプリントまたは表示の制御情報保存方法を行うためのコンピュータに実行可能なプログラムが保存された記録媒体において、
前記資産についてのプリントまたは表示を制御するためのプリントまたは表示の命令とメタデータを管理する第１ファイルを生成するステップと、
前記第１ファイルで管理する前記プリントまたは表示の命令とメタデータを参照して、前記資産についてのプリントまたは表示形態を定義した第２ファイルを生成するステップと、
前記第１ファイルと前記第２ファイルとの同調のための同調データを生成するステップと、
前記第１ファイルと前記第２ファイルとを独立的に保存するステップと、を含み、
前記保存された第１ファイル及び第２ファイルは、前記同調データを含む記録媒体。
【発明の詳細な説明】
【技術分野】
【０００１】
本発明は、プリントまたは表示の制御情報伝送及び保存に係り、より具体的には、キャプチャーデバイスまたはＩＴ（インフォメーション  テクノロジー）デバイスでＭＬ（マークアップ  ランゲージ）に基づいたプリントまたは表示の制御情報伝送／保存装置及び方法とその方法を行うためのコンピュータプログラムが保存された記録媒体に関する。
【背景技術】
【０００２】
キャプチャーデバイスは、デジタルカメラ、デジタルカムコーダ、デジタルカメラ機能を持つ移動端末機のようなＣＥ（コンシューマ  エレクトロニクス）デバイスである。このようなキャプチャーデバイスは、デジタル写真（スティル  イメージ）、イメージ、テキストのような多様な形態の媒体をキャプチャーできる。ＰＣ（パーソナル  コンピュータ）のようなＩＴデバイスは、アイテムまたは資産（アセット）と定義できる多様な形態の媒体を保存することができる。
【０００３】
資産は、シンプル媒体資産と複合媒体資産とがある。シンプル媒体資産はデジタル写真、ビデオ、デジタルオーディオ、文書などが含まれる。複合媒体資産は、デジタル写真＋デジタルオーディオ、連続撮影デジタル写真、パノマラ撮影デジタル写真などが含まれる。
【０００４】
しかし、キャプチャーデバイスまたはＩＴデバイスをプリンタやテレビのようなＣＥデバイスと連結する時、キャプチャーデバイスまたはＩＴデバイスからＣＥデバイスにいかなるプリントまたは表示の制御情報も伝送されず、各資産に対応する原本データのみ資産として出力する。
【０００５】
したがって、プリンタやテレビは、バッチプリントまたは特定のフォーマットで資産をプリントまたは表示できない。前記バッチプリントフォーマットは、複数の資産のうち所望の資産をマーキングして、マーキングされた資産をバッチジョブでプリントする機能である。前記特定のフォーマットは、例えば、複合媒体（コンポジット  メディア）を合成したフォーマット、クロッピングやローテーションのような効果を提供できるフォーマット、マルチショットやパノマラショットのような特別なコンテンツグループタイプを提供できるフォーマットがある。
【発明の開示】
【発明が解決しようとする課題】
【０００６】
本発明が解決しようとする技術的課題は、多様な形態で資産をプリントまたは表示できるようにプリントまたは表示の制御情報を伝送する装置及び方法と、その方法を行うためのコンピュータプログラムが記録された記録媒体を提供するところにある。
【０００７】
本発明が解決しようとする他の技術的課題は、キャプチャーデバイスまたはＩＴデバイスにおいて、ＭＬに基づいたプリントまたは表示の制御情報伝送装置及び方法と、その方法を行うためのコンピュータプログラムが記録された記録媒体を提供するところにある。
【０００８】
本発明が解決しようとする技術的課題は、ＸＭＬ（ｅＸｔｅｎｓｉｏｎ  Ｍａｒｋｕｐ  Ｌａｎｇｕａｇｅ）により定義されたプリントまたは表示の命令（Ｏｒｄｅｒ）情報と、ＸＨＴＭＬ（ｅＸｔｅｎｓｉｏｎ  ＨｙｐｅｒＴｅｘｔ  Ｍａｒｋｕｐ  Ｌａｎｇｕａｇｅ）により定義されたプリントまたは表示形態（ｆｏｒｍ）情報に基づいたプリントまたは表示の制御情報伝送装置及び方法と、その方法を行うためのコンピュータプログラムが記録された記録媒体を提供するところにある。
【０００９】
本発明が解決しようとする技術的課題は、多様な形態で資産をプリントまたは表示できるように、プリントまたは表示の制御情報を保存する装置及び方法と、その方法を行うためのコンピュータプログラムが記録された記録媒体を提供するところにある。
【００１０】
本発明が解決しようとする技術的課題は、ＭＬに基づいたプリントまたは表示の制御情報を保存する装置及び方法と、その方法を行うためのコンピュータプログラムが記録された記録媒体を提供するところにある。
【００１１】
本発明が解決しようとする技術的課題は、ＸＭＬにより定義されたプリントまたは表示の命令（ｏｒｄｅｒ）情報と、ＸＨＴＭＬにより定義されたプリントまたは表示形態情報を独立的に保存するプリントまたは表示の制御情報保存装置及び方法と、その方法を行うためのコンピュータプログラムが記録された記録媒体を提供するところにある。
【課題を解決するための手段】
【００１２】
前述した技術的課題を達成するために本発明は、前記資産についてのプリントまたは表示を制御するためのプリントまたは表示の命令とメタデータを含む第１ファイルを生成するステップと、前記第１ファイルに含まれている前記プリントまたは表示の命令とメタデータと前記資産についてのプリントまたは表示形態情報に基づいた第２ファイルを生成するステップと、前記資産をプリントまたは表示するデバイスの動作条件によって、前記第１ファイルと前記第２ファイルのうちいずれか一つを選択して伝送するステップと、を含むプリントまたは表示の制御情報伝送方法を提供する。
【００１３】
前記第１ファイルは、ＸＭＬを基盤としたＭＰＶファイルであり、前記第２ファイルは、ＸＨＴＭＬファイルであることが望ましい。
【００１４】
前記第１ファイルを生成するステップは、前記資産についてのプリントまたは表示を制御するためのユーザ入力情報と、前記資産を読んで再生できる情報を管理するＭＰＶファイルとに基づいて得られた前記資産についてのプリントまたは表示の制御用ＭＰＶファイルを、前記第１ファイルとして生成することが望ましい。
【００１５】
前記第１ファイルは、少なくともプリントまたは表示の命令、各資産の特性、各資産が存在する位置情報、各資産と共に出力を所望するメタデータ、及びプリントまたは表示される映像についてのマーキング情報を含む資産についてのプリントまたは表示を制御する情報を管理することが望ましい。
【００１６】
前記第２ファイルは、複数のプリントまたは表示形態のうち一つのプリントまたは表示形態を選択して定義したことが望ましい。
【００１７】
前述した技術的課題を達成するために本発明は、前記資産についてのプリントまたは表示を制御するためのプリントまたは表示の命令とメタデータを管理する第１ファイルを生成するステップと、前記第１ファイルで管理する前記命令とメタデータを参照して、前記資産についてのプリントまたは表示形態を定義した第２ファイルを生成するステップと、前記第１ファイルと前記第２ファイルとの同調のための同調データを生成するステップと、前記第１ファイルと前記第２ファイルとを独立的に保存するステップと、を含み、前記保存された第１ファイル及び第２ファイルは、前記同調データを含むプリントまたは表示の制御情報保存方法を提供する。
【００１８】
前記同調データは、各資産が存在する位置情報を含むことが望ましい。
【００１９】
前述した技術的課題を達成するために本発明は、前記資産についてのプリントまたは表示を制御するためのプリントまたは表示の命令とメタデータを管理する第１ファイルを生成するステップと、前記第１ファイルで管理する前記プリントまたは表示の命令とメタデータを参照して、前記資産についてのプリントまたは表示形態を定義した第２ファイルを生成するステップと、前記第１ファイルと前記第２ファイルとの同調のための同調データを生成するステップと、前記生成された同調データを前記第１ファイル及び前記第２ファイルにそれぞれ含め、前記第１ファイル及び第２ファイルを独立的に保存するステップと、前記資産をプリントまたは表示するデバイスの動作条件によって、前記第１ファイルと前記第２ファイルのうちいずれか一つを選択して伝送するステップと、を含むプリントまたは表示の制御情報伝送及び保存方法を提供する。
【００２０】
前述した技術的課題を達成するために本発明は、前記資産についてのプリントまたは表示を制御するためのプリントまたは表示の命令とメタデータを含む第１ファイルを生成する第１ファイル生成部と、前記第１ファイルに含まれている前記プリントまたは表示の命令及びメタデータと前記資産についてのプリントまたは表示形態情報に基づいて、第２ファイルを生成する第２ファイル生成部と、前記資産をプリントまたは表示するデバイスの動作条件によって、前記第１ファイルと前記第２ファイルのうちいずれか一つを選択して伝送する伝送部と、を備えるプリントまたは表紙制御情報伝送装置を提供する。
【００２１】
さらに、前記伝送部は、マルチプレクスエンジンで構成されることが望ましい。
【００２２】
前記プリントまたは表示の制御情報伝送装置は、ユーザにより入力される情報を前記第１ファイル生成部、第２ファイル生成部及び前記伝送部に伝送し、ユーザが情報を入力できる環境を提供するユーザーインターフェースをさらに備えることが望ましい。
【００２３】
前述した技術的課題を達成するために本発明は、前記資産についてのプリントまたは表示を制御するためのプリントまたは表示の命令とメタデータを管理する第１ファイルを生成する第１ファイル生成部と、前記第１ファイルで管理する前記命令とメタデータを参照して、前記資産についてのプリントまたは表示形態を定義した第２ファイルを生成する第２ファイル生成部と、前記第１ファイルと前記第２ファイルとを独立的に保存するメモリと、前記第１ファイルと前記第２ファイルとの同調のための同調データを生成し、前記生成された同調データが前記メモリに保存された第１ファイル及び前記第２ファイルに含まれるように、前記メモリを制御するメモリ制御部と、を備えるプリントまたは表示の制御情報保存装置を提供する。
【００２４】
前述した技術的課題を達成するために本発明は、資産についてのプリントまたは表示の制御情報伝送方法を行うためのコンピュータに実行可能なプログラムが保存された記録媒体において、前記資産についてのプリントまたは表示を制御するためのプリントまたは表示の命令とメタデータを含む第１ファイルを生成するステップと、前記第１ファイルに含まれている前記プリントまたは表示の命令とメタデータと前記資産についてのプリントまたは表示形態情報に基づいた第２ファイルを生成するステップと、前記資産をプリントまたは表示するデバイスの動作条件によって、前記第１ファイルと前記第２ファイルのうちいずれか一つを選択して伝送するステップと、を含む記録媒体を提供する。
【００２５】
前述した技術的課題を達成するために本発明は、資産についてのプリントまたは表示の制御情報保存方法を行うためのコンピュータに実行可能なプログラムが保存された記録媒体において、前記資産についてのプリントまたは表示を制御するためのプリントまたは表示の命令とメタデータを管理する第１ファイルを生成するステップと、前記第１ファイルで管理する前記プリントまたは表示の命令とメタデータを参照して、前記資産についてのプリントまたは表示形態を定義した第２ファイルを生成するステップと、前記第１ファイルと前記第２ファイルとの同調のための同調データを生成するステップと、前記第１ファイルと前記第２ファイルとを独立的に保存するステップと、を含み、前記保存された第１ファイル及び第２ファイルは、前記同調データを含む記録媒体を提供する。
【発明の効果】
【００２６】
本発明によるプリントまたは表示の命令とメタデータを参照して、プリントまたは表示形態を定義したプリントまたは表示の制御情報を保存及び資産をプリントまたは表示するデバイスに伝送することによって、プリントまたは表示を所望する資産を多様な形態で速かにプリントまたは表示できる。
【００２７】
例えば、本発明によるＸＭＬを基盤にしたＭＰＶファイルを通じて複数の資産をバッチプリントできるマーキング情報、プリント枚数情報、及び各資産別にクロッピングやローテーションのような効果情報をマーキングしたプリントまたは表示の制御情報を保存及び伝送できる。
【００２８】
そして、イメージ資産をプリントまたは表示する時、特定の内容のメタデータが共にプリントまたは表示されるように、ＸＭＬを基盤とするＭＰＶファイルを定義できる。前記ＸＭＬ基盤とするＭＰＶファイルは、写真と共に出力されるメタデータを指定する情報を含むことができる。また、マルチ撮影フォーマットやパノマラ撮影フォーマットのような特別なフォーマットを持つイメージをプリントまたは表示できるように、ＭＰＶファイルを生成できる。さらに、資産をプリントまたは表示するデバイスは、ＭＰＶファイルにマーキングされた情報に基づいてプリントまたは表示しようとする資産の検索時間を短縮させることができる。
【発明を実施するための最良の形態】
【００２９】
以下、添付された図面を参照して本発明による実施形態を詳細に説明する。
【００３０】
図１は、本発明の一実施形態によるプリントまたは表示の制御情報伝送装置の機能ブロック図である。前記プリントまたは表示の制御情報伝送装置は、ＣＥデバイスまたはＩＴデバイスに備えられている。図１を参照するに、プリントまたは表示の制御情報伝送装置は、ＵＩ（ユーザ  インターフェース）１００、ＭＰＶ（ＭｕｌｔｉＰｈｏｔｏＶｉｄｅｏまたはＭｕｓｉｃＰｈｏｔｏＶｉｄｅｏ）ファイル保存部１１０、ＭＰＶファイル生成部１２０、ＸＨＴＭＬファイル生成部１３０、及びマルチプレクスエンジン１４０を備える。
【００３１】
ＵＩ  １００は、資産またはアイテム別のプリントまたは表示を制御するためのユーザ入力情報を、ＭＰＶファイル生成部１２０、ＸＨＴＭＬファイル生成部１３０及びマルチプレクスエンジン１４０に提供し、ユーザが情報を入力できる環境を提供する。
【００３２】
前記資産は、デジタル写真、イメージ、及びテキストのようなシンプル媒体資産であるか、連続撮影デジタル写真、パノマラ撮影デジタル写真のような複合媒体資産でありうる。
【００３３】
前記環境は、例えば、資産タイプ、プリントする資産別メタデータ、プリント枚数、各資産別に反映すべき効果、プリントまたは表示形態などのような各資産別特性、プリントまたは表示の命令、及びプリントまたは表示する資産が存在する位置についての情報（アセット  リファレンス）をユーザが入力できる環境である。
【００３４】
一般的にＣＥデバイスの既存の情報入力装置は、ユーザが多様な情報を入力できない。したがって、ＵＩ  １００は、簡単な情報入力装置を利用してユーザがプリントまたは表示の制御情報を入力できる環境を提供できるように構成される。例えば、ＵＩ  １００は、メニュー画面を通じてユーザが前記プリントまたは表示の制御情報を入力できる環境を提供できる。もし、メニュー画面を通じてユーザがプリントまたは表示の制御情報を入力すれば、前記メニュー画面にディスプレイされる情報は、ＭＰＶファイル生成部１２０及びＸＨＴＭＬファイル生成部１３０から提供されうる。
【００３５】
ＭＰＶファイル保存部１１０は、該当するＣＥデバイスまたはＩＴデバイスに含まれているあらゆる資産のメタデータ及び資産の位置情報を管理できるＭＰＶファイルを保存する。前記ＭＰＶファイルが管理する資産は、プリントまたは表示が不可能な資産も含まれうる。例えば、デジタルオーディオ資産は、プリントまたは表示が不可能な資産である。したがって、ＭＰＶファイル保存部１１０に保存されるＭＰＶファイルは、ＸＭＬを基盤に定義されたファイルシステムであり、キャプチャーされた媒体の属性（ａｔｔｒｉｂｕｔｅ）と位置についての情報を含む原ファイルと定義できる。このＭＰＶファイルは、キャプチャーされた媒体を読んで再生するために使われうる。
【００３６】
ＭＰＶファイル生成部１２０は、資産をプリントまたは表示するための命令（ｏｒｄｅｒ）情報及びメタデータを管理するＭＰＶファイルを生成する。ＭＰＶファイル生成部１２０は、ＵＩ  １００から入力される情報に基づいて、ＭＰＶファイル保存部１１０に保存されたＭＰＶファイルを、資産についてのプリントまたは表示の制御用ＸＭＬ基盤ファイルに変換する。前記ＸＭＬ基盤ファイルが、前記ＭＰＶファイル生成部１２０で生成されるＭＰＶファイルである。以下、ＭＰＶファイル生成部１２０で生成されるＭＰＶファイルは、再定義されたＭＰＶファイルという。
【００３７】
再定義されたＭＰＶファイルは、資産をプリントまたは表示するために必要な要素を管理する。例えば、前記要素は、図２のＭＰＶファイル生成部２１０に図示されたように、資産タイプ２１１、プリント枚数２１２、特定の資産についてのプリントまたは表示形態命令（ｐｒｉｎｔ  ｏｒ  ｄｉｓｐｌａｙ  ｆｏｒｍ  ｏｒｄｅｒ  ｆｏｒ  ｓｐｅｃｉａｌ  ａｓｓｅｔ）２１３、メタデータ２１４、効果２１５、資産参照２１６などの情報を含むことができる。
【００３８】
資産タイプ２１１は、プリントまたは表示しようとする資産の形態を定義する情報である。すなわち、プリントしようとする資産が静止映像であるか、マルチ撮影デジタル写真であるか、パノマラ撮影デジタル写真であるかを表す情報である。この情報は、ＭＰＶファイル保存部１１０に保存されたＭＰＶファイルで管理する資産タイプ情報を参照して決定できる。
【００３９】
プリント枚数２１２は、プリントしようとする各資産の枚数またはいろいろな資産を含むアルバムの数を表す情報であり、ユーザの入力情報によって定義できる。
【００４０】
特定の資産についてのプリントまたは表示形態命令２１３は、選択した資産がカバー用に使われるかどうかを表す情報であり、選択した資産がカバー用に使われれば、前記特定の資産についてのプリントまたは表示形態命令２１３は、アルバムタイトルのように他のイメージや特別なメタデータを含める情報を定義できる。この情報は、ユーザの入力情報によって定義されうる。
【００４１】
メタデータ２１４は、各プリントまたは表示する資産別に共にプリントまたは表示する特別のメタデータを表す情報であり、ユーザの入力情報によって定義されるか、ＭＰＶファイル保存部１１０に保存されたＭＰＶファイルで管理する関連したメタデータを参照して決定されうる。ユーザは、前記メタデータと共にプリントまたは表示するイメージをマーキングしたメタデータを入力できる。
【００４２】
また、ユーザは、プリントまたは表示可能な資産のうち、プリントまたは表示を所望する複数の資産をマーキングするメタデータを入力できる。このメタデータにより資産をプリントまたは表示するデバイスでは、複数の資産を一括的にプリントまたは表示するバッチプリントが可能である。また、ユーザは、マルチ撮影フォーマットやパノマラ撮影フォーマットで資産がプリントまたは表示されるようにマーキングするメタデータを入力できる。
【００４３】
効果２１５は、各プリントまたは表示する資産別に反映すべきクロッピング、ローテーションのような効果を定義する情報である。
【００４４】
資産参照２１６は、実際プリントまたは表示する資産が存在する位置を定義した情報であり、ユーザ入力情報に基づいてＭＰＶファイル保存部１１０に保存されたＭＰＶファイルで管理するラストＵＲＥＬを資産参照情報として定義できる。
【００４５】
ＭＰＶファイル生成部１２０で生成される再定義されたＭＰＶファイルの例は、図３Ａないし図３Ｅのソースコードのように提示されうる。図３Ａないし図３Ｅを参照するに、再定義されたＭＰＶファイルにプリントまたは表示しようとする資産の命令、スタイル、ファイルタイプ、プリント枚数、ファイルハンドル、タイトルのような資産別特性、枠の有無、カラー、回転、クロッピングのような資産効果などを含む情報が定義されている。また、再定義されたＭＰＶファイルには、ＨＴＭＬフォーマットで処理されるように定義できる。すなわち、図３Ｂの“＜！−−Ｆｉｒｓｔ  ａｓｓｅｔ  ｔｏ  ｐｒｉｎｔ：Ｈｙｐｅｒ−ｔｅｘｔ−−＞”により、＜ｍｐｖ：Ｐｒｉｎｔ  ｍｐｖ：ｉｄ＝“ｐｒｉｎｔｊｏｂ０００１”＞はＨＴＭＬフォーマットで処理される。ＭＰＶファイル生成部１２０で生成される再定義されたＭＰＶファイルは、マルチプレクスエンジン１４０に伝送されうる。
【００４６】
また、図２のＭＰＶファイル生成部２１０で管理する要素は、プリントまたは表示の制御用ＸＨＴＭＬファイルを生成する時、入力要素として利用されうる。すなわち、図２のＸＨＴＭＬファイル生成部２００がアルバム及びページのプリントまたは表示形態を定義したＸＨＴＭＬファイルを生成する時、ＭＰＶファイル生成部２１０で管理する各資産別プリントまたは表示の命令とメタデータを参照する。すなわち、ＭＰＶファイル生成部１２０は、プリントまたは表示の制御用ＸＨＴＭＬファイルの入力要素を管理する管理部と定義できる。
【００４７】
ＸＨＴＭＬファイル生成部１３０は、ＭＰＶファイル生成部１２０で生成された再定義されたＭＰＶファイルに含まれているプリントまたは表示の命令情報と、ＵＩ  １００を通じてユーザが選択したプリントまたは表示形態に基づいたプリントまたは表示の制御ＸＨＴＭＬファイルを生成する。前記プリントまたは表示形態の選択をユーザに許容するために、ＸＨＴＭＬファイル生成部１３０は、あらかじめ保存されたいろいろな種類のテンプレート（ｔｅｍｐｌａｔｅ）をＵＩ  １００を通じてユーザに提供する。いろいろな種類のテンプレートは、特別なページのためのレイアウト、１ページに対するレイアウト、複合資産に対するレイアウト、その他のレイアウトを含むことができる。
【００４８】
したがって、ＸＨＴＭＬファイル生成部１３０は、ＭＰＶファイル生成部１２０で再定義されたＭＰＶファイルで管理しているプリントまたは表示の命令及びメタデータと、ユーザにより選択されたプリントまたは表示形態（ｆｏｒｍ）情報を利用して、プリントまたは表示を制御するためのＸＨＴＭＬファイルを生成できる。生成されたＸＨＴＭＬファイルは、マルチプレクスエンジン１４０に伝送されうる。
【００４９】
図４は、図１のＸＨＴＭＬファイル生成部１３０とＭＰＶファイル生成部１２０との動作を説明する他の例である。図２と異なるのは、図４のＸＨＴＭＬファイル生成部４００がデータベース４０２を備えることである。すなわち、図１のＸＨＴＭＬファイル生成部１３０についての説明で言及したように、多様なプリントまたは表示形態を含むテンプレートをデータベース４０２に保存させ、ユーザは保存されているテンプレートのうち所望するものを選択することを許容する。この場合にも、ＸＨＴＭＬファイル生成部４００は、ＭＰＶファイル生成部４１０により管理される各資産別プリントまたは表示を制御するための入力要素を参照する。
【００５０】
マルチプレクスエンジン１４０は、ＭＰＶファイル生成部１２０とＸＨＴＭＬファイル生成部１３０とでそれぞれ生成されるＭＰＶファイルとＸＨＴＭＬファイルをマインマルチプレクシングする。前記マインマルチプレクシングは、ＵＩ  １００を通じて入力される制御信号により行われる。すなわち、ＵＩ  １００を通じて入力される制御信号によりＸＨＴＭＬファイルが要求されれば、マルチプレクスエンジン１４０は、前記ＸＨＴＭＬファイルを選択して出力する。ＵＩ  １００を通じてＭＰＶファイルが要求されれば、マルチプレクスエンジン１４０は、前記ＭＰＶファイルを選択して出力する。ＭＰＶファイルは、図３Ａないし図３Ｅに図示されたように、ＸＨＴＭＬ＋ＸＭＬ基盤ファイルと定義できる。前記ＸＨＴＭＬ＋ＸＭＬ基盤ファイルは、内容によってＸＨＴＭＬフォーマットで資産をプリントまたは表示できるＸＭＬ基盤ファイルである。
【００５１】
ＵＩ  １００を通じてマルチプレクスエンジン１４０に入力される制御信号は、資産をプリントまたは表示するＣＥデバイスまたはＩＴデバイスの処理能力によって異なる動作を行う。すなわち、ＣＥデバイスまたはＩＴデバイスがＸＨＴＭＬ基盤プリントまたは表示の制御情報を受信すれば、制御信号は、マルチプレクスエンジン１４０がＸＨＴＭＬファイルを選択して伝送することを許容する。ＣＥデバイスまたはＩＴデバイスがＸＭＬ基盤にプリントまたは表示の制御情報を受信すれば、制御信号は、マルチプレクスエンジン１４０がＭＰＶファイルを選択して伝送することを許容する。これにより、マルチプレクスエンジン１２０は、ＸＨＴＭＬファイル生成部１３０から出力されるＸＨＴＭＬファイルと、ＭＰＶファイル生成部１２０から出力されるＭＰＶファイルとを出力情報として伝送する伝送部として定義できる。
【００５２】
図５は、本発明の他の実施形態によるプリントまたは表示の制御情報伝送及び保存装置の機能ブロック図であり、前記プリントまたは表示の制御情報伝送及び保存装置は、生成されたプリントまたは表示情報を保存しつつ他のＣＥデバイスまたはＩＴデバイスに伝送する場合である。
【００５３】
図５を参照するに、プリントまたは表示の制御情報伝送及び保存装置は、ＵＩ  ５００、ＭＰＶファイル保存部５１０、ＭＰＶファイル生成部５２０、ＸＨＴＭＬファイル生成部５３０、マルチプレクスエンジン５４０、メモリカード制御部５５０、及びメモリカード５６０を備える。
【００５４】
図５に図示されたＵＩ  ５００、ＭＰＶファイル保存部５１０、ＭＰＶファイル生成部５２０、ＸＨＴＭＬファイル生成部５３０、マルチプレクスエンジン５４０は、図１に図示されたＵＩ  １００、ＭＰＶファイル保存部１１０、ＭＰＶファイル生成部１２０、ＸＨＴＭＬファイル生成部１３０、マルチプレクスエンジン１４０と同様なので、説明の重複を避けるために本実施形態でこれらについての説明は省略する。
【００５５】
しかし、ＭＰＶファイル生成部５２０とＸＨＴＭＬファイル生成部５３０は、それぞれ生成されたＭＰＶファイルとＸＨＴＭＬファイルとをマルチプレクスエンジン５４０に伝送しつつ、メモリカード制御部５５０にも伝送する。
【００５６】
メモリカード制御部５５０は、ＸＨＴＭＬファイル生成部５３０で生成されたＸＨＴＭＬファイル５６２と、ＭＰＶファイル生成部５２０で生成されたＭＰＶファイル５６１とがメモリカード５６０に独立的に保存されるように制御する。この時、メモリカード５６０に保存される各ＭＰＶファイル５６１とＸＨＴＭＬファイル５６２の所定同調データを含むように、メモリカード制御部５５０は、前記同調データを生成して共に保存させる。
【００５７】
もし、プリントまたは表示される資産の位置情報が、ＭＰＶファイル５６１とＸＨＴＭＬファイル５６２とを同調するための同調データを表せば、メモリカード制御部５５０は、メモリカード５６０に保存される該当する資産５６３の位置情報と、再定義されたＭＰＶファイルに定義されている該当する資産の位置情報とを参照して前記同調データを生成し、生成された同調データを含むＭＰＶファイルとＸＨＴＭＬファイルとをそれぞれメモリカード５６０に保存させる。したがって、ＭＰＶファイル５６１は、メモリカード制御部５５０により生成された同調データを含むＭＰＶファイルである。ＸＨＴＭＬファイル５６２は、メモリカード制御部５５０により生成された同調データを含むＸＨＴＭＬファイルである。
【００５８】
図１及び図５の装置は、キャプチャーデバイスまたはＩＴデバイスに含まれうる。メモリカード制御部５５０及びメモリカード５６０は、キャプチャーデバイスまたはＩＴデバイスと連結された外部装置でありうる。
【００５９】
図６は、本発明のさらに他の実施形態によるプリントまたは表示の制御情報伝送方法のフローチャートである。
【００６０】
まず、資産をプリントまたはディスプレイするための資産のプリントまたは表示の制御命令及びメタデータを管理するＭＰＶファイルを生成する（６０１）。この時、生成されるＭＰＶファイルは、前述した図１での再定義されたＭＰＶファイルである。したがって、ＵＩ  １００を通じて入力されるユーザ情報と、ＭＰＶファイル保存部１１０に保存されている原ＭＰＶファイルとを参照して、６０１ステップでの前記ＭＰＶファイルが生成される。前記ユーザ入力情報は、資産についてのプリントまたは表示を制御するための情報である。原ＭＰＶファイルは、各資産の位置情報と各資産別メタデータとを含む。したがって、６０１ステップで生成されるＭＰＶファイルは、プリントまたは表示の命令、各資産の特性、各資産が存在する位置情報を含む資産に関連した情報を管理する。
【００６１】
６０１ステップで生成されたＭＰＶファイルで管理しているプリントまたは表示の命令及びメタデータを入力要素として利用し、あらかじめ定義されている複数のプリントまたは表示形態のうち、ユーザにより選択された一つのプリントまたは表示形態を定義したＸＨＴＭＬファイルを生成する（６０２）。
【００６２】
資産をプリントまたは表示するデバイスの動作条件を考慮してユーザが入力した情報によって、６０１ステップで生成されたＭＰＶファイルと６０２ステップで生成されたＸＨＴＭＬファイルのうち一つのファイルを選択して、図示されていない前記デバイスに伝送する（６０３）。この時、ＭＰＶファイルとＸＨＴＭＬファイルのうち一つのファイルの選択基準は、図１のマルチプレクシングエンジン１４０で説明した通りである。前記デバイスは、プリンタまたはテレビのようなＣＥデバイスである。
【００６３】
図７は、本発明のさらに他の実施形態によるプリントまたは表示の制御情報保存方法のフローチャートである。
【００６４】
まず、資産についてのプリントまたは表示の命令及びプリントまたは表示のためのメタデータを管理するＭＰＶファイルを生成する（７０１）。この時、生成されるＭＰＶファイルは、前述した図１での再定義されたＭＰＶファイルである。前記ＭＰＶファイルは、ＵＩ  １００を通じて入力されるユーザ情報と、ＭＰＶファイル保存部１１０に保存されている原ＭＰＶファイルとを参照して生成される。前記ユーザ情報は、資産についてのプリントまたは表示を制御するための情報である。原ＭＰＶファイルは、各資産の位置情報と各資産別メタデータとを含む。したがって、７０１ステップで生成されるＭＰＶファイルは、プリントまたは表示の命令、各資産の特性、各資産が存在する位置情報を含む資産に関連した情報を管理する。
【００６５】
７０１ステップで生成されたＭＰＶファイルで管理しているプリントまたは表示の命令及びメタデータを入力要素として利用し、あらかじめ定義されている複数のプリントまたは表示形態のうち、ユーザにより選択された一つのプリントまたは表示形態を定義したＸＨＴＭＬファイルを生成する（７０２）。
【００６６】
７０１ステップで生成されたＭＰＶファイルと、７０２ステップで生成されたＸＨＴＭＬファイルとの同調のための同調データを生成する（７０３）。前記同調データは、図５で説明したように、メモリカード５６０に保存された資産の位置情報と、７０１ステップで生成されたＭＰＶファイルに定義されている資産の位置情報とを参照して生成できる。例えば、メモリカード５６０に保存された資産の位置情報と、前記ＭＰＶファイルに定義されている資産の位置情報とが異なれば、メモリカード５６０に保存された資産の位置情報を前記同調データとして生成する。前記同調データは、同じ資産に対してＭＰＶファイルとＸＨＴＭＬファイルとが共通的に持つデータである。
【００６７】
前記生成された同調データは、７０１ステップで生成されたＭＰＶファイルと７０２ステップで生成されたＸＨＴＭＬファイルとに含まれる。すなわち、７０１ステップで生成されたＭＰＶファイルで管理している資産のラストＵＲＬをメモリカード５６０に現在保存された資産の位置にアップデートする方式で、前記検出されたデータをＭＰＶファイルとＸＨＴＭＬファイルに含めることができる。その後、前記同調データを含むＭＰＶファイルとＸＨＴＭＬファイルとを独立的にメモリカードに保存させる（７０４）。
【００６８】
図６は、プリントまたは表示の制御情報を伝送する例であり、図７は、プリントまたは表示の制御情報を保存する例である。しかし、プリントまたは表示の制御情報を図７のように保存させつつ、図６のように伝送する図５に対応する方法も、図６及び図７に基づいて具現できる。
【００６９】
本願発明によるプリントまたは表示の制御情報伝送及び保存方法を行うためのプログラムは、コンピュータで読み取り可能な記録媒体にコンピュータで読み取り可能なコードとして具現することができる。コンピュータで読み取り可能な記録媒体は、コンピュータシステムによって読み取られるデータが保存されるあらゆる種類の保存装置を含む。コンピュータで読み取り可能な記録媒体の例には、ＲＯＭ、ＲＡＭ、ＣＤ−ＲＯＭ、磁気テープ、フロッピー（登録商標）ディスク、光データ保存装置などがあり、また、キャリアウェーブ（例えば、インターネットを通じた伝送）の形態で具現されるものも含む。
【００７０】
また、コンピュータで読み取り可能な記録媒体は、ネットワークに連結されたコンピュータシステムに分散されて、分散方式でコンピュータで読み取り可能なコードが保存されて実行されうる。そして、前記ツリーパスフィルターリング方法を具現するための機能的なプログラム、コード及びコードセグメントは、本発明が属する技術分野のプログラマーにより容易に推論される。
【００７１】
これまで本発明についてその望ましい実施形態を中心に説明した。当業者は本発明が本発明の本質的な特性から逸脱しない範囲で変形された形態で具現できるということを理解できるであろう。したがって、開示された実施形態は限定的な観点ではなく説明的な観点で考慮されねばならない。本発明の範囲は、前述した説明ではなく特許請求の範囲に現れており、それと同等な範囲内にあるあらゆる差異点は、本発明に含まれていると解釈されねばならない。
【図面の簡単な説明】
【００７２】
【図１】本発明の一実施形態によるプリントまたは表示の制御情報伝送装置の機能ブロック図である。
【図２】図１に図示されたＭＰＶファイル生成部とＸＨＴＭＬファイル生成部との動作を説明するための図である。
【図３Ａ】図１のＭＰＶファイル生成部で生成されるＸＭＬ基盤のＭＰＶファイルのソースコード例を示す図である。
【図３Ｂ】図１のＭＰＶファイル生成部で生成されるＸＭＬ基盤のＭＰＶファイルのソースコード例を示す図である。
【図３Ｃ】図１のＭＰＶファイル生成部で生成されるＸＭＬ基盤のＭＰＶファイルのソースコード例を示す図である。
【図３Ｄ】図１のＭＰＶファイル生成部で生成されるＸＭＬ基盤のＭＰＶファイルのソースコード例を示す図である。
【図３Ｅ】図１のＭＰＶファイル生成部で生成されるＸＭＬ基盤のＭＰＶファイルのソースコード例を示す図である。
【図４】図１に図示されたＭＰＶファイル生成部とＸＨＴＭＬファイル生成部との動作を説明するための図である。
【図５】本発明の他の実施形態によるプリントまたは表示の制御情報伝送及び保存装置の機能ブロック図である。
【図６】本発明のさらに他の実施形態によるプリントまたは表示の制御情報伝送方法を説明するフローチャートである。
【図７】本発明のさらに他の実施形態によるプリントまたは表示の制御情報保存方法を説明するフローチャートである。
【図１】
2008502985.tif 000003
【図２】
2008502985.tif 000004
【図３Ａ】
2008502985.tif 000005
【図３Ｂ】
2008502985.tif 000006
【図３Ｃ】
2008502985.tif 000007
【図３Ｄ】
2008502985.tif 000008
【図３Ｅ】
2008502985.tif 000009
【図４】
2008502985.tif 000010
【図５】
2008502985.tif 000011
【図６】
2008502985.tif 000012
【図７】
2008502985.tif 000013
【手続補正書】
【提出日】平成18年12月22日(2006.12.22)
【手続補正１】
【補正対象書類名】特許請求の範囲
【補正対象項目名】請求項６
【補正方法】変更
【補正の内容】
【請求項６】
資産についてのプリントまたは表示の制御情報保存方法において、
前記資産についてのプリントまたは表示を制御するためのプリントまたは表示の命令とメタデータを管理する第１ファイルを生成するステップと、
前記第１ファイルで管理する前記命令とメタデータを参照して、前記資産についてのプリントまたは表示形態を定義した第２ファイルを生成するステップと、
前記第１ファイルと前記第２ファイルとの同調のための同調データを生成するステップとを含むプリントまたは表示の制御情報保存方法。
【国際調査報告】
2008502985.tif 000014
2008502985.tif 000015
2008502985.tif 000016